(57)【要約】【課題】イオン発生装置の小型化を図る。【解決手段】イオン発生装置１００は、イオン発生部１５と、基板１１と、送風ファン３と、それらを収容するケース１とを備える。イオン発生部１５は、放電によってイオンを発生する。基板１１は、表面にイオン発生部１５が設けられる。ケース１には、吸込口３０および吹出口４０が形成される。送風ファン３は、吸込口３０から吸込まれた空気を吹出口４０に向けて送風するためのものである。ケース１内において上記表面に沿って空気が流れるように通路が形成される。【選択図】図２
2014007031.tif 000002
【特許請求の範囲】
【請求項１】
放電によって帯電粒子を発生する帯電粒子発生部と、
表面に前記帯電粒子発生部が設けられた基板と、
前記基板を収容し、吸込口および吹出口が形成されたケースと、
前記ケース内に配置され、前記吸込口から吸込まれた空気を前記吹出口に向けて送風するための送風機とを備え、
前記ケース内において前記表面に沿って前記送風機からの空気が流れるように通路が形成される、帯電粒子発生装置。
【請求項２】
前記通路は、前記表面と、前記ケースの前記表面に対向する面との間に形成される、請求項１に記載の帯電粒子発生装置。
【請求項３】
前記送風機は、前記基板の厚み方向において、前記表面と、前記ケースの前記表面に対向する面との間に配置される、請求項１または２に記載の帯電粒子発生装置。
【請求項４】
前記帯電粒子発生部に高電圧を供給するための高電圧発生部をさらに備え、
前記高電圧発生部は、前記表面に突出して配置される、請求項１〜３のいずれかに記載の帯電粒子発生装置。
【請求項５】
前記帯電粒子発生部は、
正の帯電粒子を発生する第１放電部と、
負の帯電粒子を発生する第２放電部とを含み、
前記第１放電部および前記第２放電部は、前記表面に垂直な方向から見て、前記送風機からの空気が流れる方向に略垂直な方向に互いに離間して配置され、
前記高電圧発生部は、前記送風機から前記吹出口への空気の流れを、前記第１放電部を通過する流れと、前記第２放電部を通過する流れとに分離するように配置される、請求項４に記載の帯電粒子発生装置。
【請求項６】
一方端が前記第１放電部に接続され、他方端が前記高電圧発生部に接続された第１整流素子と、
一方端が前記第２放電部に接続され、他方端が前記高電圧発生部に接続された第２整流素子とをさらに備え、
前記第１整流素子および前記第２整流素子は、前記表面から前記基板の厚み方向に埋め込まれた状態に配置される、請求項５に記載の帯電粒子発生装置。
【請求項７】
前記第１整流素子の通電方向および前記第２整流素子の通電方向は、前記表面に垂直な方向から見て、前記送風機からの空気が流れる方向に垂直な方向に対して傾斜している、請求項６に記載の帯電粒子発生装置。
【請求項８】
前記ケース内において、前記送風機の下方に配置され、前記帯電粒子発生部および前記送風機に電力を供給する蓄電装置をさらに備え、
前記吸込口は、前記ケースの側面に形成され、
前記吸込口から吸込まれた空気は、前記送風機と前記蓄電装置との間を通って前記送風機へ導入される、請求項１〜７のいずれかに記載の帯電粒子発生装置。
【請求項９】
前記吸込口は、前記ケースにおける、前記表面に平行な面に形成され、
前記吸込口から吸込まれた空気は、前記送風機の前記吸込口側から前記送風機へ導入される、請求項１〜７のいずれかに記載の帯電粒子発生装置。
【発明の詳細な説明】
【技術分野】
【０００１】
この発明は、帯電粒子発生装置に関し、特に、送風機を有する帯電粒子発生装置に関する。
【背景技術】
【０００２】
放電によって発生したイオンを外部の空間へ放出するイオン発生装置が知られている。
たとえば、特開２００６−２１０３１１号公報（特許文献１）は、空調機器に用いられるイオン発生装置を開示している。このイオン発生装置では、イオンを発生するための電極が設けられた基板は、ケース内に配置される。ケースには、外部の空気がケース内を通過するように開口部が形成される。ケース内で発生したイオンは、開口部からケース内に導入された空気によって、外部の空間に放出される（特許文献１参照）。
【先行技術文献】
【特許文献】
【０００３】
【特許文献１】特開２００６−２１０３１１号公報
【発明の概要】
【発明が解決しようとする課題】
【０００４】
上記特許文献１に記載のイオン発生装置は、空気清浄機や空調機の送風経路に組み込まれて用いられる。そして、開口部からケース内に空気を導入するための送風機と、放電のための高電圧を発生する回路と、高電圧の発生タイミングを制御する回路とを収容するためのケースは、イオンを発生するための電極が設けられた基板を収容するケースとは別に設けられる。このため、イオン発生装置が大型化してしまう。
【０００５】
本発明は、このような課題を解決するためになされたものであって、その目的は、帯電粒子発生装置の小型化を図ることである。
【課題を解決するための手段】
【０００６】
この発明によれば、帯電粒子発生装置は、帯電粒子発生部と、基板と、ケースと、送風機とを備える。帯電粒子発生部は、放電によって帯電粒子を発生する。基板は、表面に帯電粒子発生部が設けられる。ケースは、基板を収容する。ケースには、吸込口および吹出口が形成される。送風機は、ケース内に配置される。送風機は、吸込口から吸込まれた空気を吹出口に向けて送風するためのものである。ケース内において上記表面に沿って送風機からの空気が流れるように通路が形成される。
【０００７】
好ましくは、通路は、上記表面と、ケースの上記表面に対向する面との間に形成される。
【０００８】
好ましくは、送風機は、基板の厚み方向において、上記表面と、ケースの上記表面に対向する面との間に配置される。
【０００９】
好ましくは、帯電粒子発生装置は、高電圧発生部をさらに備える。高電圧発生部は、帯電粒子発生部に高電圧を供給するためのものである。高電圧発生部は、上記表面に突出して配置される。
【００１０】
好ましくは、帯電粒子発生部は、第１放電部と、第２放電部とを含む。第１放電部は、正の帯電粒子を発生する。第２放電部は、負の帯電粒子を発生する。第１放電部および第２放電部は、上記表面に垂直な方向から見て、送風機からの空気が流れる方向に略垂直な方向に互いに離間して配置される。高電圧発生部は、送風機から吹出口への空気の流れを、第１放電部を通過する流れと、第２放電部を通過する流れとに分離するように配置される。
【００１１】
好ましくは、帯電粒子発生装置は、第１整流素子と、第２整流素子とをさらに備える。第１整流素子の一方端は、第１放電部に接続される。第１整流素子の他方端は、高電圧発生部に接続される。第２整流素子の一方端は、第２放電部に接続される。第２整流素子の他方端は、高電圧発生部に接続される。第１整流素子および第２整流素子は、上記表面から基板の厚み方向に埋め込まれた状態に配置される。
【００１２】
好ましくは、第１整流素子の通電方向および第２整流素子の通電方向は、上記表面に対して垂直な方向から見て、送風機からの空気が流れる方向に垂直な方向に対して傾斜している。
【００１３】
好ましくは、帯電粒子発生装置は、蓄電装置をさらに備える。蓄電装置は、ケース内において、送風機の下方に配置される。蓄電装置は、帯電粒子発生部および送風機に電力を供給する。吸込口は、ケースの側面に形成される。吸込口から吸込まれた空気は、送風機と蓄電装置との間を通って送風機へ導入される。
【００１４】
好ましくは、吸込口は、ケースにおける、上記表面に平行な面に形成される。吸込口から吸込まれた空気は、送風機の吸込口側から送風機へ導入される。
【発明の効果】
【００１５】
この発明においては、一つのケース内に、表面に帯電粒子発生部が設けられた基板と、吸込口から吸込まれた空気を吹出口に向けて送風するための送風機とが収容される。そして、ケース内において基板の上記表面に沿って送風機からの空気が流れるように送風機が配置される。このため、帯電粒子を外部に搬送するための空気通路として基板の一面を利用することができる。したがって、この発明によれば、帯電粒子発生装置の小型化を図ることができる。
【図面の簡単な説明】
【００１６】
【図１】この発明の実施の形態１によるイオン発生装置の斜視図である。
【図２】図１に示すイオン発生装置の分解斜視図である。
【図３】図１に示すイオン発生素子の詳細を示す斜視図である。
【図４】イオン発生素子の一部を覆う絶縁ケースの一例の斜視図である。
【図５】絶縁ケースが取り付けられたイオン発生素子の斜視図である。
【図６】絶縁ケースが取り付けられたイオン発生素子を裏面側から見た斜視図である。
【図７】図１のＡ−Ａ線断面図である。
【図８】図１に示すイオン発生装置の使用状態の一例を示す図である。
【図９】この発明の実施の形態１の変形例によるイオン発生素子の上面図である。
【図１０】図９に示すイオン発生素子の斜視図である。
【図１１】この発明の実施の形態２によるイオン発生装置の斜視図である。
【発明を実施するための形態】
【００１７】
以下、本発明の実施の形態について、図面を参照しながら詳細に説明する。なお、図中同一または相当部分には同一符号を付してその説明は繰返さない。
【００１８】
［実施の形態１］
図１は、この発明の実施の形態１によるイオン発生装置の斜視図である。図１を参照して、イオン発生装置１００は、ケース１と、スイッチ８とを備える。
【００１９】
ケース１の幅方向（Ｙ方向）に垂直な側面１ｃには、外部の空気をケース１内に吸い込むための吸込口３０が形成される。ケース１の長手方向（Ｘ方向）の一方端１ｄには、ケース内の空気を外部に吹き出すための吹出口４０が形成される。ケース１の内部には、吸込口３０と吹出口４０とを連通する空気通路が形成される。
【００２０】
スイッチ８は、利用者の操作を入力するためのスイッチである。利用者は、スイッチ８を操作することによって、イオン発生装置１００の作動と停止とを切り替えることができる。
【００２１】
図２は、図１に示すイオン発生装置の分解斜視図である。図２を参照して、イオン発生装置１００は、図１で説明したケース１およびスイッチ８に加えて、送風ファン３と、バッテリ７と、外部端子９と、イオン発生素子２０とを備える。
【００２２】
ケース１は、上側ケース１ａと、下側ケース１ｂとを含む。上側ケース１ａおよび下側ケース１ｂは、一体となって平面視略矩形の薄箱状のケース１を構成する。ケース１は、送風ファン３と、バッテリ７と、スイッチ８と、外部端子９と、イオン発生素子２０とを収容する。
【００２３】
送風ファン３は、開口３ａから吸込んだ空気を開口３ｂから吹き出すことによって、空気通路を流れる空気流を発生する。開口３ａは、送風ファン３の厚み方向（Ｚ方向）に垂直な面に設けられる。開口３ｂは、送風ファン３の吹出口４０に向いた面に設けられ、基板１１と上側ケース１ａの内表面との間の空間に空気を放出する。送風ファン３は、Ｚ方向において基板１１の表面１１ａと、ケース１の表面１１ａに対向する面との間に配置される。
【００２４】
送風ファン３は、たとえば、遠心ファンやプロペラファンを含んで構成される。送風ファン３は、バッテリ７または外部端子９に接続される外部電源からの電力を用いて作動する。送風ファン３の作動によって、外部の空気は、吸込口３０からケース１の内部に導入され、空気通路を通過した後、吹出口４０から外部へ排出される。送風ファン３は、供給される電力が大きいほど風量が大きくなる。
【００２５】
バッテリ７は、直流電源であり、たとえば、ニッケル水素電池やリチウムイオン電池などの二次電池を含んで構成される。バッテリ７は、送風ファン３およびイオン発生素子２０に直流電力を供給する。バッテリ７は、外部端子９に接続された外部電源からの電力を用いて充電される。バッテリ７の電圧は、数Ｖ程度である。バッテリ７は、ケース１内において送風ファン３にＺ方向下方に配置される。
【００２６】
外部端子９は、外部電源に接続される。イオン発生装置１００は、外部端子９を介して外部電源から電力を受ける。外部電源から受けた電力は、送風ファン３、イオン発生素子２０またはバッテリ７に供給される。外部電源としては、ＡＣ電源やＡＣ／ＤＣアダプタなどを用いることができる。イオン発生装置１００は、外部端子９を介して外部機器と通信可能に構成されてもよい。
【００２７】
図３は、図２に示すイオン発生素子２０の詳細を示す斜視図である。図２および図３を参照して、イオン発生素子２０は、基板１１と、基板１１の表面１１ａ上に配置されたイオン発生制御部１０およびイオン発生部１５とを含む。なお、イオン発生素子２０の一部は、後に説明する絶縁ケースによって覆われる。
【００２８】
イオン発生制御部１０は、イオン発生部１５での放電を制御するためのものであり、たとえば、パルス発生回路、コンデンサ、ＦＥＴ(Field  Effect  Transistor)などを含んで構成される。イオン発生制御部１０は、バッテリ７と、イオン発生部１５との間に接続される。イオン発生制御部１０は、バッテリ７の電圧を１０〜２０Ｖに昇圧してイオン発生部１５に出力する。また、イオン発生制御部１０は、イオン発生部１５の放電制御のためのパルス信号を生成し、イオン発生部１５へ出力する。
【００２９】
イオン発生部１５は、高電圧発生部６と、正側整流素子５ａと、負側整流素子５ｂと、正イオン放電部４ａと、負イオン放電部４ｂとを有する。
【００３０】
高電圧発生部６は、イオン発生制御部１０から入力された信号に基づいて、２〜１０ｋＶの正負の高電圧を生成する。高電圧発生部６は、たとえば、トランスを含んで構成される。高電圧発生部６は、たとえば、直方体形状を有している。高電圧発生部６は、基板１１の表面１１ａに突出して配置される。高電圧発生部６は、高電圧発生部６の長手方向が送風ファン３（図２）からの空気が流れる方向に平行になるように配置される。高電圧発生部６は、正イオン放電部４ａと、負イオン放電部４ｂとの間の略中央に配置される。このように高電圧発生部６を配置することで、空気の流れを妨げにくくすることができる。よって、送風ファン３によって効果的に空気流を発生することができる。
【００３１】
正側整流素子５ａは、高電圧発生部６と正イオン放電部４ａとの間に接続され、高電圧発生部６によって生成された正負の高電圧のうち正の高電圧のみを正イオン放電部４ａへ通過させる。負側整流素子５ｂは、高電圧発生部６と負イオン放電部４ｂとの間に接続され、高電圧発生部６によって生成された正負の高電圧のうち負の高電圧のみを負イオン放電部４ｂへ通過させる。正側整流素子５ａおよび負側整流素子５ｂは、たとえば、ダイオードを含んで構成される。正側整流素子５ａおよび負側整流素子５ｂは、たとえば、円柱形状を有し、その長手方向に通電可能に構成される。正側整流素子５ａおよび負側整流素子５ｂは、その通電方向がＹ方向に平行となるように配置される。正側整流素子５ａおよび負側整流素子５ｂは、基板１１の表面１１ａから基板１１の厚み方向に埋め込まれた状態に配置される。
【００３２】
正イオン放電部４ａおよび負イオン放電部４ｂは、放電によってイオンを発生するための部分であり、先端が鋭利な針形状を有している。正イオン放電部４ａおよび負イオン放電部４ｂは、高耐熱、高耐食性を有する金属であり、たとえば、インコネルで作られる。正イオン放電部４ａの針形状の一方端（先端）は空気中に露出し、正イオン放電部４ａの他方端は正側整流素子５ａに接続される。負イオン放電部４ｂの針形状の一方端（先端）は空気中に露出し、負イオン放電部４ｂの他方端は負側整流素子５ｂに接続される。負イオン放電部４ｂは、Ｙ方向に正イオン放電部４ａから離間して設けられる。
【００３３】
正イオン放電部４ａおよび負イオン放電部４ｂにおいてイオンが発生する原理を説明する。正イオン放電部４ａは、正の電圧を有する直流パルス電圧が供給される。負イオン放電部４ｂは、負の電圧を有する直流パルス電圧が供給される。正イオン放電部４ａと接地電極（図示せず）との間に発生するコロナ放電によって、正イオン放電部４ａ付近の空気が正イオン化する。電離によって発生した正イオンは、空気中の水分と結合して、主としてＨ+（Ｈ2Ｏ）ｍ（ｍは任意の自然数である。）を含んで構成される電荷が正のクラスタイオンを形成する。負イオン放電部４ｂと接地電極（図示せず）との間に発生するコロナ放電によって、負イオン放電部４ｂ付近の空気が負イオン化する。電離によって発生した負イオンは、空気中の水分と結合して、主としてＯ2-（Ｈ2Ｏ）ｎ（ｎは零または任意の自然数である。）を含んで構成される電荷が負のクラスタイオンを形成する。なお、発生するイオンの量（濃度）は、正イオン放電部４ａおよび負イオン放電部４ｂに印加される電圧、パルス周期によって調整される。なお、負イオンのみを発生するように放電部を構成してもよい。
【００３４】
基板１１は送風ファン３（図２）と吹出口４０（図２）との間に設けられ、基板１１の表面１１ａに沿って空気通路が形成される。１枚の基板上にイオン発生制御部１０およびイオン発生部１５が設けられることによって、基板の枚数を削減して、コストダウンができる。なお、基板１１にイオン発生部１５が設けられ、他の基板にイオン発生制御部１０が設けられる構成を採用してもよい。基板１１には、少なくとも正イオン放電部４ａおよび負イオン放電部４ｂが設けられることが好ましい。また、基板１１には、イオン発生部１５が設けられることがより好ましい。このように基板１１上に高電圧が印加される部品を設けることによって、意図しない放電による消費電力の増加や周辺物の破損を防止することができる。
【００３５】
図４〜図６を用いて、イオン発生素子２０の一部を覆う絶縁ケース９０を説明する。図４は、イオン発生素子の一部を覆う絶縁ケース９０の一例の斜視図である。図５は、絶縁ケース９０が取り付けられたイオン発生素子の斜視図である。図６は、絶縁ケース９０が取り付けられたイオン発生素子を裏面側から見た斜視図である。
【００３６】
絶縁ケース９０は、図５に示すようにイオン発生素子２０の高電圧が印加される部分、特にイオン発生部１５、を覆うように設けられる。絶縁ケース９０には、切欠部９１ａ，９１ｂと、中央部９２と、側壁部９３ａ，９３ｂと、平板部９４ａ，９４ｂと、側周部９５とが形成される。絶縁ケース９０は、たとえば、エポキシのような絶縁強度が高い材料を用いて形成される。
【００３７】
切欠部９１ａ，９１ｂは、正イオン放電部４ａおよび負イオン放電部４ｂの先端が絶縁ケース９０の外部に露出するように形成される。中央部９２は、高電圧発生部６を覆うように形成される。側壁部９３ａ，９３ｂは、中央部９２のＹ方向の両側において、Ｚ方向に壁を形成する。平板部９４ａは、側壁部９３ａと中央部９２との間において、基板１１に沿って形成される。平板部９４ｂは、側壁部９３ｂと中央部９２との間において、基板１１に沿って形成される。側周部９５は、絶縁ケース９０の周縁部分において、Ｚ方向に壁を形成する。
【００３８】
図６に示すようにイオン発生素子２０が取り付けられた後、絶縁ケース９０の側周部９５で囲まれた空間には、絶縁強度が高い材料が充填される。このようにして、イオン発生部１５から正イオン放電部４ａおよび負イオン放電部４ｂの先端を除いた部分が、絶縁強度が高い材料で覆われる。このように絶縁ケース９０を設けることによって、高電圧が印加される部分での意図しない放電を防止することができる。
【００３９】
さらに、絶縁ケース９０は、基板１１に沿って流れる空気を整流する機能を有する。具体的には、送風ファン３の開口３ｂから吹出された空気は、絶縁ケース９０によって、中央部９２および側壁部９３ａ間を流れる第１空気流（図５の矢印ＡＲ１）と、中央部９２および側壁部９３ｂ間を流れる第２空気流（図５の矢印ＡＲ２）とに分かれる。第１空気流は、正イオン放電部４ａで発生した正イオンを、吹出口４０を通して外部へと搬送する。第２空気流は、負イオン放電部４ｂで発生した負イオンを、吹出口４０を通して外部へと搬送する。
【００４０】
図７は、図１のＡ−Ａ線断面図である。図７を用いて、イオン発生装置１００内における空気の流れを説明する。
【００４１】
利用者によるスイッチ８の操作によってイオン発生装置１００が作動すると、送風ファン３が作動する。送風ファン３の作動によって、吸込口３０から外部の空気がケース１内に吸い込まれる。ケース１内に吸い込まれた空気は、送風ファン３とバッテリ７との間を通って送風ファン３内へ導入される（矢印Ｂ）。送風ファン３内へ導入された空気は、送風ファン３の吹出口４０に向いた面から、基板１１の表面１１ａと上側ケース１ａの面１ｆとの間の空間に放出される（矢印Ｃ）。送風ファン３から放出された空気は、基板１１の表面１１ａに沿って流れ、高電圧発生部６によって第１空気流と第２空気流とに分かれる。このように、基板１１の表面１１ａと、ケース１の表面１１ａに対向する面１ｆとの間に空気通路が形成される。第１空気流は、正イオン放電部４ａで発生する正イオンを、吹出口４０を通して外部へと搬送する。第２空気流は、負イオン放電部４ｂで発生する負イオンを、吹出口４０を通して外部へと搬送する。
【００４２】
図８は、図１に示すイオン発生装置の使用状態の一例を示す図である。図８を参照して、イオン発生装置１００は、クリップ７０をさらに備える。イオン発生装置１００は、クリップ７０によって衣類８０に設けられたポケット８５の内側に装着される。このようにイオン発生装置１００をポケット８５に装着することによって、利用者は、イオン発生装置１００を携帯して利用することができる。なお、イオン発生装置１００は、クリップ７０を備えない構成を採用してもよい。クリップ７０は、イオン発生装置１００に着脱自在に構成されてもよい。
【００４３】
この場合、イオン発生装置１００の吸込口３０が形成された側面付近に空間が確保されるため、吸込口３０が衣類８０およびポケット８５によって塞がれにくい。このため、吸込口３０から空気を吸い込む能力が低下することが抑制される。
【００４４】
以上のように、この実施の形態１においては、一つのケース１内に、表面１１ａにイオン発生部１５が設けられた基板１１と、吸込口３０から吸込まれた空気を吹出口４０に向けて送風するための送風ファン３とが収容される。そして、ケース１内において基板１１の表面１１ａに沿って送風ファン３からの空気が流れるように送風ファン３が配置される。このため、イオンを外部に搬送するための空気通路として基板１１の一面を利用することができる。したがって、この実施の形態１によれば、イオン発生装置１００の小型化を図ることができる。
【００４５】
基板１１の表面１１ａと、ケース１の面１ｆとの間の空間が空気通路として利用されるので、空気通路を形成するための部材を別途設ける必要がない。
【００４６】
送風ファン３が、イオン発生装置１００の厚み方向において、空気通路が形成される領域内に配置されるので、イオン発生装置１００を薄型化することができる。
【００４７】
高電圧発生部６が表面１１ａに突出して配置されるので、高電圧発生部６の高さによるイオン発生装置１００の大型化を抑制することができる。
【００４８】
高電圧発生部６は、送風ファン３から吹出口４０への空気の流れを、第１空気流と、第２空気流とに分離するように配置されるので、高電圧発生部６による抵抗の増加を抑制するとともに、空気通路を流れる空気の流速を高めることができる。さらに、正イオンおよび負イオンが別の経路から外部に放出されるので、ケース１内で正イオンおよび負イオンが結合することを抑制することができる。したがって、イオン発生装置１００が放出するイオンの量を増大できる。
【００４９】
正側整流素子５ａおよび負側整流素子５ｂは、表面１１ａから基板１１の厚み方向に埋め込まれた状態に配置されるので、正側整流素子５ａおよび負側整流素子５ｂによって送風ファン３からの空気の流れが妨げられることを抑制することができる。
【００５０】
吸込口３０がケース１の側面１ｃに形成されるので、イオン発生装置１００を携帯する際のケース１内に空気を吸い込む能力の低下を防止することができる。したがって、利用者がイオン発生装置１００を装着する際の利便性を高めることができる。
【００５１】
［変形例］
実施の形態１では、正側整流素子および負側整流素子が、通電方向がＹ方向に平行になるように配置される場合を説明した。これに対し、実施の形態１の変形例では、正側整流素子および負側整流素子が、通電方向がＹ方向に対して角度を有するように配置される場合を説明する。
【００５２】
図９は、この発明の実施の形態１の変形例によるイオン発生素子の上面図である。図１０は、図９に示すイオン発生素子の斜視図である。図９および図１０を参照して、イオン発生素子２０ａは、正側整流素子５ａおよび負側整流素子５ｂが、通電方向がＹ方向に対して角度を有するように配置される。このような配置によって、イオン発生素子２０ａは、通電方向がＹ方向に平行になるように配置される場合に比べて、イオン発生素子２０ａの幅寸法Ｗを小さくすることができる。
【００５３】
以上のように、この実施の形態１の変形例においては、イオン発生素子２０ａの幅寸法Ｗを小さくすることができ、イオン発生装置１００をさらに小型化することができる。
【００５４】
なお、正イオン放電部４ａが、正イオン放電部４ａと正側整流素子５ａとの接続箇所よりもＸ方向において吹出口４０側に配置され、負イオン放電部４ｂが、負イオン放電部４ｂと負側整流素子５ｂとの接続箇所よりもＸ方向において吹出口４０側に配置されてもよい。この場合、正イオン放電部４ａおよび負イオン放電部４ｂを吹出口４０に近接して配置することができるため、外部へイオンを効率よく放出することができる。
【００５５】
［実施の形態２］
実施の形態１では、吸込口がケースの側面に形成される場合を説明した。これに対し、実施の形態２では、吸込口がケースの主面に形成される場合を説明する。これによって、イオン発生装置をさらに薄型化することができる。
【００５６】
図１１は、この発明の実施の形態２によるイオン発生装置の斜視図である。図１１を参照して、イオン発生装置１００ａには、吸込口３０に代えて、吸込口３０ａが形成される。吸込口３０ａは、イオン発生装置１００ａの主面１ｅに形成される。
【００５７】
吸込口３０ａから吸込まれた空気は、送風ファン３の吸込口３０ａ側から送風ファン３へ導入される。
【００５８】
以上のように、この実施の形態２においては、空気を導入するための空間をバッテリ７と送風ファン３との間に確保する必要がない。よって、バッテリ７と送風ファン３との間の距離を短くすることができるため、さらに薄型化することができる。
【００５９】
上記の実施の形態では、本発明に係る帯電粒子発生装置の例として空気中の水分と結合したイオンを発生させるイオン発生装置について説明したが、本発明において発生させる帯電粒子は、たとえば、静電霧化装置によって生成されるラジカル成分を含む帯電微粒子水等も含む。具体的には、静電霧化装置においては、放電電極をペルチェ素子によって冷却するなどの方法で放電電極の表面に結露水を生じさせ、放電電極にマイナスの高電圧を印加することによって、結露水から帯電微粒子水が生成される。
【００６０】
なお、上記の実施の形態では、内蔵電源としてバッテリ７を用いて説明したが、バッテリ７に代えて、キャパシタを用いてもよい。
【００６１】
以上のように本発明の実施の形態について説明を行なったが、各実施の形態の構成を適宜組合せてもよい。
【００６２】
なお、上記において、イオン発生装置１００は、この発明における「帯電粒子発生装置」の一実施例に対応し、イオンは、この発明における「帯電粒子」の一実施例に対応する。また、イオン発生部１５は、この発明における「帯電粒子発生部」の一実施例に対応し、送風ファン３は、この発明における「送風機」の一実施例に対応する。また、バッテリ７は、この発明における「蓄電装置」の一実施例に対応する。また、正イオン放電部４ａは、この発明における「第１放電部」の一実施例に対応し、負イオン放電部４ｂは、この発明における「第２放電部」の一実施例に対応する。また、正側整流素子５ａは、この発明における「第１整流素子」の一実施例に対応し、負側整流素子５ｂは、この発明における「第２整流素子」の一実施例に対応する。
【００６３】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【００６４】
１  ケース、３  送風ファン、４ａ  正イオン放電部、４ｂ  負イオン放電部、５ａ  正側整流素子、５ｂ  負側整流素子、６  高電圧発生部、７  バッテリ、８  スイッチ、９  外部端子、１０  イオン発生制御部、１１  基板、１５  イオン発生部、２０  イオン発生素子、３０  吸込口、４０  吹出口、９０  絶縁ケース、１００  イオン発生装置。
【図１】
2014007031.tif 000003
【図２】
2014007031.tif 000004
【図３】
2014007031.tif 000005
【図４】
2014007031.tif 000006
【図５】
2014007031.tif 000007
【図６】
2014007031.tif 000008
【図７】
2014007031.tif 000009
【図８】
2014007031.tif 000010
【図９】
2014007031.tif 000011
【図１０】
2014007031.tif 000012
【図１１】
2014007031.tif 000013